(57)【要約】【課題】複数のクライアント端末からユーザが所望の端末を探し出して選択する必要はなく、選択に要する時間を短縮する。【解決手段】端末情報を保存した端末情報保存部から、分割された表示対象コンテンツを表示可能な端末に関する情報を端末情報として取得する情報取得部１６と、端末情報毎に、端末の操作履歴から各端末のコンテンツが過去に複数のユーザによって操作された度合いを表す数値をコンテンツインタラクティブ度として算出するコンテンツのインタラクティブ度算出部１４と、端末情報毎に端末の操作履歴からコンテンツを取得した時刻の前後で端末がユーザによって使われている可能性を表す数値を各端末のインタラクティブ度として算出する端末のインタラクティブ度算出部１５と、算出されたコンテンツのインタラクティブ度と、端末のインタラクティブ度とを用いて端末毎の表示スコアを算出する表示スコア算出部１７とを具備する。【選択図】図１
2015146149.tif 000002
【特許請求の範囲】
【請求項１】
１の端末に表示されたコンテンツを異なる端末に表示させる際、前記端末に関する情報を端末情報として保存した端末情報保存部から、前記コンテンツを表示可能な端末に関する情報を端末情報として取得する端末情報取得部と、
取得された端末情報毎に、当該端末の操作履歴から、各端末のコンテンツが過去に複数のユーザによって操作された度合いを表す数値をコンテンツインタラクティブ度として算出するコンテンツのインタラクティブ度算出部と、
取得された端末情報毎に、当該端末の操作履歴から、コンテンツを取得した時刻の前後で端末がユーザによって使われている可能性を表す数値を各端末のインタラクティブ度として算出する端末のインタラクティブ度算出部と、
算出されたコンテンツのインタラクティブ度と、端末のインタラクティブ度とを用いて端末毎の表示スコアを算出する表示スコア算出部と、
を具備することを特徴とする表示制御装置。
【請求項２】
前記コンテンツのインタラクティブ度は、操作回数が多いほど高く、
前記端末のインタラクティブ度は、端末が操作されてから当該端末のインタラクティブ度の算出時点までの時間が短いほど高く、
前記表示スコア算出部で算出される表示スコアは、前記コンテンツのインタラクティブ度と端末のインタラクティブ度との差が小さいほど高くなる、
ことを特徴とする請求項１に記載の表示制御装置。
【請求項３】
前記コンテンツのインタラクティブ度content_score(C１)は、コンテンツ利用履歴のレコード数をｎとし、ｉ行目のコンテンツに対して行われた各イベントの発生回数の総和をｎｕｍ（ｉ）とすると、
【数１】
2015146149.tif 000006
として算出され、
前記端末のインタラクティブ度device_score(d)は、端末ｄにコンテンツＣ(Ｃ１以外のコンテンツ) が表示されてからの経過時間ｔ１、ユーザによって最後にコンテンツＣが操作されてからの経過時間ｔ２、端末ｄが最後にユーザによって操作されてからの経過時間ｔ３を用いて、経過時間ｔ１，ｔ２，ｔ３のうち最も小さい値をmin(t1,t2,t3)と表したとき、
【数２】
2015146149.tif 000007
として算出され、
前記端末ｄにおける表示スコアScore(d,C１)は、
【数３】
2015146149.tif 000008
として算出される、
ことを特徴とする請求項１または２に記載の表示制御装置。
【請求項４】
１の端末に表示されたコンテンツを異なる端末に表示させる際、前記端末に関する情報を端末情報として保存した端末情報保存部から、前記コンテンツを表示可能な端末に関する情報を端末情報として取得し、
取得された端末情報毎に、当該端末の操作履歴から、各端末のコンテンツが過去に複数のユーザによって操作された度合いを表す数値をコンテンツインタラクティブ度として算出し、
取得された端末情報毎に、当該端末の操作履歴から、コンテンツを取得した時刻の前後で端末がユーザによって使われている可能性を表す数値を各端末のインタラクティブ度として算出し、
算出されたコンテンツのインタラクティブ度と、端末のインタラクティブ度とを用いて端末毎の表示スコアを算出する、
ことを特徴とする表示制御方法。
【請求項５】
請求項１から３のいずれか１項に記載の表示制御装置をコンピュータで構成するための表示制御プログラム。
【発明の詳細な説明】
【技術分野】
【０００１】
本発明は、あるクライアント端末のブラウザに表示されているコンテンツの１つを選択して、他のクライアント端末のブラウザにそのコンテンツを表示させる表示制御装置、表示制御方法、および表示制御プログラムに関する。
【背景技術】
【０００２】
ＨＴＭＬ５で記述された１つのＷｅｂページを複数のコンテンツ（１つのＷｅｂページを分割してできたそれぞれの部分をコンテンツと呼ぶ、以下、同じ）に分割し、例えば、分割した複数のコンテンツのうちコンテンツＣ１をブラウザｂ１に表示してコンテンツＣ２をブラウザｂ２に表示するといったように、複数のコンテンツを複数のブラウザで閲覧することがある。
【０００３】
従来、ＨＴＭＬ５(http://www.w3.org/html/wg/drafts/html/master/) で記述されたＷｅｂページを閲覧するとき、閲覧者はＷｅｂページを分割した複数のコンテンツを、同一のネットワークに接続されている複数のブラウザを用いて閲覧することができる技術が知られている（例えば非特許文献１参照）。このとき、あるブラウザに表示されているコンテンツを他のブラウザに移動またはコピーして表示させることができるが、どのデバイスに表示させるのが適切であるかはＴＰＯに依存し閲覧者の判断に任せられる。例えば、映像のコンテンツをあるブラウザに移動またはコピーさせるときに、映像を再生させるのに適した１つのブラウザと映像を再生させるのに適していない２つのブラウザがあるときもあれば、映像を再生させるのに適した３つのブラウザがあるときもある。また、閲覧者が映像のコンテンツの再生に頻繁に使用するブラウザもあれば、再生には使用しないブラウザもある。どのブラウザに移動またはコピーさせるのが適しているかを閲覧者が知らないままブラウザを選択してしまうと、例えば表示ができないブラウザを選択してしまったことによる、ブラウザの再選択回数の増加やブラウザ選択に要する時間の増加の可能性があるという問題がある。
【０００４】
移動またはコピー先ブラウザ候補を選定するための方法としては、例えば、
（１）ＤＬＮＡ(Digital Living Network Alliance) などを活用して、各機器のスペック情報など、機器固有の静的な情報に基づいてブラウザを選定する方法、
（２）過去の利用履歴を活用して、似たようなコンテンツ（例えばエレメント名が同じである）を表示したことが多いブラウザを選定する方法、
などが考えられる。
【０００５】
しかし、（１）、（２）のいずれの場合も閲覧者のコンテンツ移動時のクライアント端末の利用状況(どのコンテンツをどのクライアント端末に表示させているのか、どのようなクライアント端末を何台利用しているのかなど)を考慮していない。このため、（１）の方法では、例えば、表示には適しているが閲覧者にとって使いにくい場所に置かれているブラウザが選定されてしまう可能性がある。また、（２）の方法においても、例えば過去の利用履歴から閲覧者がmovieエレメントのコンテンツをタブレットに表示させる傾向が強い場合であっても、コンテンツ移動時にはテレビジョンＴＶにmovieエレメントのコンテンツを表示させてタブレットにそのコンテンツを操作するためのエレメントを表示させるのが適切である可能性もあるため、選定の確度が低くなる可能性がある。
【先行技術文献】
【非特許文献】
【０００６】
【非特許文献１】M.Imoto,Y.Miyazaki, T. Tokunaga、 K. Tanaka and S. Miyahara. A Framework for supporting the development of Multi-Screen Web Applications. 15th International Conference on Information Integration and Web-based Applications & Services,2013
【発明の概要】
【発明が解決しようとする課題】
【０００７】
上述したように、従来、あるクライアント端末のブラウザに表示されているコンテンツＣを他のクライアント端末のブラウザｂ３に表示させるとき、閲覧者の意図に反するクライアント端末にコンテンツが表示されることがある。また、すでにコンテンツが表示されているクライアント端末にコンテンツＣを表示させることによって、すでに表示されているコンテンツの視認性が低下するなど、すでに表示されているコンテンツの利便性を低下させることがある。さらに、上記２つの課題によって、コンテンツを移動またはコピーするために必要なクライアント端末の再選択が発生するという課題があった。
【０００８】
本発明は、複数のクライアント端末からユーザが所望の端末を探し出して選択する必要はなく、選択に要する時間を短縮することができる表示制御装置、表示制御方法、および表示制御プログラムを提供することを目的としている。
【課題を解決するための手段】
【０００９】
上記目的を達成するために、本発明に係る表示制御装置は、１の端末に表示されたコンテンツを異なる端末に表示させる際、前記端末に関する情報を端末情報として保存した端末情報保存部から、前記コンテンツを表示可能な端末に関する情報を端末情報として取得する端末情報取得部と、取得された端末情報毎に、当該端末の操作履歴から、各端末のコンテンツが過去に複数のユーザによって操作された度合いを表す数値をコンテンツインタラクティブ度として算出するコンテンツのインタラクティブ度算出部と、取得された端末情報毎に、当該端末の操作履歴から、コンテンツを取得した時刻の前後で端末がユーザによって使われている可能性を表す数値を各端末のインタラクティブ度として算出する端末のインタラクティブ度算出部と、算出されたコンテンツのインタラクティブ度と、端末のインタラクティブ度とを用いて端末毎の表示スコアを算出する表示スコア算出部とを具備することを特徴としている。
【００１０】
また、本発明に係る表示制御方法は、１の端末に表示されたコンテンツを異なる端末に表示させる際、前記端末に関する情報を端末情報として保存した端末情報保存部から、前記コンテンツを表示可能な端末に関する情報を端末情報として取得し、取得された端末情報毎に、当該端末の操作履歴から、各端末のコンテンツが過去に複数のユーザによって操作された度合いを表す数値をコンテンツインタラクティブ度として算出し、取得された端末情報毎に、当該端末の操作履歴から、コンテンツを取得した時刻の前後で端末がユーザによって使われている可能性を表す数値を各端末のインタラクティブ度として算出し、算出されたコンテンツのインタラクティブ度と、端末のインタラクティブ度とを用いて端末毎の表示スコアを算出する、ことを特徴としている。
【００１１】
また、本発明に係る表示制御プログラムは、本発明に係る表示制御装置をコンピュータで実現するための表示制御プログラムである。
【００１２】
ここで、本発明において、「表示」の文言は、文字・図形、写真等の静止画像のみならず、動画像（映像）の再生も含む概念である。
【００１３】
このように、本発明では、過去の複数ユーザの利用履歴から「コンテンツのインタラクティブ性(コンテンツがユーザによって操作される度合い)」を算出（推定）する。そして、ユーザのコンテンツ移動時前後の端末利用状況から「コンテンツ移動時のクライアント端末の役割」を推定する。上記２つの推定結果に基づいて，スコアを算出し，スコアの降順にユーザに提示するものである。
【発明の効果】
【００１４】
本発明によれば、あるクライアント端末のブラウザに表示されているコンテンツを他のクライアント端末のブラウザに表示させるときに、意図しないクライアント端末にコンテンツが表示されたり、他のコンテンツの利便性を低下させたりする可能性を減らすことが可能となる。また、コンテンツの移動先クライアント端末を確度高く推定してユーザに提示できるので、コンテンツを移動またはコピーするときにクライアント端末を再選択する割合を低くでき、クライアント端末の選択回数やクライアント端末を選択するまでの時間を減らすことが可能となる。
【００１５】
具体的に説明すると、本発明は、図６（Ａ）に示すように、例えば、１つのＷｅｂページが４つのコンテンツから成る場合、Ｗｅｂページを４つのコンテンツに分割し、図６（Ｂ）に示すように、コンテンツＣを端末Ａに表示させ、次に，端末Ａに表示されたコンテンツＣを他の端末に移動させる場合の処理として、図６（Ｃ）、（Ｄ）に示すように、複数の端末候補（１，２，３，・・・）の中から所望の端末を選択する際に最適な端末を確度よく特定して、移動後に端末の再選択が発生しないようにするものである。従来では、図7に示すように、移動可能なクライアント端末を「すべて」端末Ａに表示するようにしている。図7の例では、端末Ｂ，Ｃ，Ｄを提示している。このため、従来のような、複数のクライアント端末からユーザが所望の端末を探し出して選択する必要はなく、選択に要する時間を短縮することができる。また、選択したクライアント端末で表示・利用不可である可能性がある端末を選択してクライアント端末の再選択が不要となり、選択に要する時間を短縮することができる。
【図面の簡単な説明】
【００１６】
【図１】本発明に係る表示制御装置の一実施形態が適用された表示システムの概略構成を示すブロック図。
【図２】コンテンツ利用履歴保存部に保存されるコンテンツ利用履歴の一例を示す説明図。
【図３】端末静的情報保存部に保存される端末静的情報の一例を示す説明図。
【図４】端末動的情報保存部に保存される端末動的情報の一例を示す説明図。
【図５】本発明に係る表示制御装置の一実施形態の作用を説明するフローチャート。
【図６】本発明に係る表示制御装置の作用効果を示す説明図。
【図７】本発明に係る表示制御装置の作用効果を示す説明図。
【発明を実施するための形態】
【００１７】
図１は、本発明に係る表示制御装置の一実施形態である表示システムの構成を示している。なお、本実施形態では、「表示」の文言は、文字・図形、写真等の静止画像のみならず、動画像（映像）の再生も含む概念である。
【００１８】
同図に示すように、この表示システムは、表示制御装置（サーバ）１０と、この表示制御装置１０とネットワーク２０を介して接続された複数の端末（クライアント端末）３０，４０，・・・を備えている。
【００１９】
表示制御装置１０は、コンテンツ利用履歴保存部１１と、端末(デバイス)静的情報保存部１２と、端末（デバイス）動的情報保存部１３と、コンテンツのインタラクティブ度算出部１４と、端末(デバイス）のインタラクティブ度算出部１５と、情報取得部１６と、表示スコア算出部１７と、端末選択部１８とを備えている。
【００２０】
この実施形態において、表示制御装置１０は、ブラウザＡに表示されている移動対象のコンテンツＣ１を入力として、コンテンツ利用履歴保存部１１、端末静的情報保存部１２、端末動的情報保存部１３を用いて、コンテンツＣ１の移動先候補ブラウザｄにコンテンツＣ１を表示させるのがどの程度適切であるかを表す表示スコアScore(d,C１)を算出し、算出された表示スコアに基づいて移動先ブラウザ候補をブラウザＡに表示させる機能を有する。
【００２１】
コンテンツ利用履歴保存部１１は、１つのＨＴＭＬコンテンツに含まれる複数のコンテンツＣが過去に複数のユーザによってどのように利用されてきたかに関する情報を保持している。具体的には、図２に示すように、コンテンツＩＤカラムとイベントカラムとから構成される。コンテンツＩＤカラムには、コンテンツＣを一意に識別可能なＩＤを格納する。イベントカラムには、コンテンツＣで発生したイベント名と発生したイベント累積回数を格納する。なお、例えばコンテンツを拡大縮小するなどの動作などの連続した操作に対して発生するイベントは１回の連続した操作(拡大縮小を始めてから一旦拡大縮小をやめるまで)につき１回発生したものとしてカウントする。イベントが連続して発生したときにどこからどこまでを１回の連続した操作とみなすかは既存の手法を用いて容易に判定することができる。例えば、フラグ変数を用意して、マウスボタンが押された(mousedown イベントが発生した)場合には“true”、離された(mouseup イベントが発生した)場合には“false”にする。フラグ変数が“true”から“false”になるまでを１回の連続した操作とみなせばよい。
【００２２】
端末静的情報保存部１２は、１つのレコードが１つの端末に関する情報を保持しており、図３に示すように、デバイスＩＤカラムとデバイス静的情報カラムから構成される。デバイスＩＤカラムには、デバイスを一意に識別可能なＩＤを格納する。デバイス静的情報カラムには、デバイスの静的な情報を格納し、例えば、映像再生機能の有無などのスペック情報を格納する。
【００２３】
端末動的情報保存部１３は、１つのレコードが１つの端末に関する情報を保持しており、図４に示すように、デバイスＩＤカラムとデバイス動的情報カラムから構成される。デバイスＩＤカラムには、デバイスを一意に識別可能なＩＤを格納する。ただし、同一のデバイスに関しては端末静的情報保存部１２のデバイスＩＤと端末動的情報保存部１３のデバイスＩＤが同一になるようにする。デバイス動的情報カラムには、デバイスの動的な情報、例えば、デバイスのブラウザのウィンドウサイズ、ブラウザに表示されているコンテンツＩＤ、コンテンツに含まれるエレメントに登録されているイベント名、コンテンツが表示されてからの経過時間、コンテンツやブラウザが操作されてからの経過時間などの情報を格納する。この端末動的情報保存部１３の各カラムの情報は逐次更新されている。
【００２４】
コンテンツのインタラクティブ度算出部１４は、コンテンツのインタラクティブ度を算出する。処理の詳細は後述する。
【００２５】
端末(デバイス)のインタラクティブ度算出部１５は、端末(デバイス)のインタラクティブ度を算出する。処理の詳細は後述する。
【００２６】
情報取得部１６は、コンテンツ利用履歴保存部１１からコンテンツ利用履歴を、端末静的情報保存部１２から端末静的情報を、端末動的情報保存部１３から端末動的情報を取り込んで、コンテンツのインタラクティブ度算出部１４、端末(デバイス)のインタラクティブ度算出部１５に出力する。
【００２７】
表示スコア算出部１７は、コンテンツのインタラクティブ度算出部１４で算出されたコンテンツのインタラクティブ度と、端末(デバイス)のインタラクティブ度算出部１５で算出された端末(デバイス)のインタラクティブ度とに基づいて表示スコアを算出する。
【００２８】
通知部１８は、算出された表示スコアに基づいてネットワーク２０に接続された端末３０，４０，・・・のいずれが表示に適するかを通知する。
【００２９】
次に、本発明に係る表示制御装置の実施形態の処理の流れを図５のフローチャートを参照して説明する。
【００３０】
まず、端末のブラウザＡから表示対象のコンテンツＣ１を取得する（ステップＳ１）。コンテンツＣ１の取得は、例えば、ブラウザＡを操作するユーザによって選択される。コンテンツＣ１が取得されると、次のステップＳ２において、情報取得部１６は端末静的情報保存部１２を検索して、表示制御装置（サーバ）１０に接続され通信を実行しているクライアント端末の中から、コンテンツＣ１を表示可能なクライアント端末の情報を取得する（ステップＳ２）。例えば、コンテンツＣ１のエレメント名が「movie」である場合、図３に示す端末“smartphone1 ”は“movie ”を再生する機能を有しているから“smartphone1 ”の情報を取得する。一方、“smartphone2 ”は“movie ”を再生する機能を有していないからsmartphone2 の情報は取得しない。
【００３１】
ステップＳ３では、ステップＳ２で取得した端末静的情報が１つのクライアント端末に関するものであればステップＳ８の処理に進み、そうでなければステップＳ４の処理に進む。
【００３２】
ステップＳ４では、コンテンツ利用履歴保存部１１を用いて、コンテンツＣ１のインタラクティブ度content_score(C１) を算出する。ここで、「コンテンツのインタラクティブ度」とは、コンテンツが過去に複数のユーザによってどれだけ操作されたか、例えばクリックされた回数や拡大縮小された回数などを表す数値で、数値が高いほどそのコンテンツは過去に複数のユーザによって操作されたことが多かったことを表す。コンテンツのインタラクティブ度content_score(C１)は、例えばコンテンツ利用履歴のレコード数をｎとし、ｉ行目のコンテンツに対して行われた各イベントの発生回数の総和をｎｕｍ（ｉ）とすると、
【００３３】
【数１】
2015146149.tif 000003
として算出される。
【００３４】
ステップＳ５では、端末動的情報保存部１３の端末情報を用いて、ステップＳ２で情報を取得した端末のうちの未処理の端末ｄに対して、端末のインタラクティブ度device_score(d) を算出する。ここで、「端末のインタラクティブ度」とは、コンテンツＣ１を取得した時刻の前後で端末ｄがユーザによって使われている可能性を表す数値で、数値が高いほどその端末はユーザによって使われている可能性が高いことを表す。例えば、端末ｄにコンテンツＣ(Ｃ１以外のコンテンツ) が表示されてからの経過時間ｔ１、ユーザによって最後にコンテンツＣが操作されてからの経過時間ｔ２、端末ｄが最後にユーザによって操作されてからの経過時間ｔ３を用いて、経過時間ｔ１，ｔ２，ｔ３のうち最も小さい値のものが小さければ小さいほど、端末ｄはユーザによって多く使われているとして、“device_score(d) ”は大きくなるようにする。つまり、端末ｄのインタラクティブ度device_score(d) は、
【００３５】
【数２】
2015146149.tif 000004
として算出される。
【００３６】
例えば、図４において、スマートフォン(smartphone1)のデバイス動的情報から分かるように、コンテンツＣ１が表示されてから１２０（ｓｅｃ）、コンテンツＣ１が操作(例えばクリック)されてから２０（ｓｅｃ）、ブラウザが操作(例えばスクロール)されてから１０（ｓｅｃ）が経過している。また、コンテンツＣ４が表示されてから５５（ｓｅｃ）、コンテンツＣ４が操作されてから５５（ｓｅｃ）、ブラウザが操作されてから５５（ｓｅｃ）が経過している。つまり、コンテンツＣ４は表示されてから一度も操作されていないことが分かる。一番小さい値は１０（ｓｅｃ）であるから、スマートフォン(smartphone1)のインタラクティブ度は、device_score(smartphone1) ＝１／１０となる。
【００３７】
ステップＳ６では、端末ｄにおける表示スコアScore(d,C１)を算出する。表示スコアScore(d,C１)は、コンテンツＣ１が、“インタラクティブ性が低いコンテンツ、つまりcontent_score(C１)が小さい”、かつ、“端末ｄがインタラクティブ性の低いコンテンツを表示するのに適したデバイス、つまりdevice_score(d)が小さい”であれば高い値となる。
【００３８】
コンテンツＣ１が、“インタラクティブ性が高いコンテンツ、つまりcontent_score(C１)が大きい”、かつ、“端末ｄがインタラクティブ性の高いコンテンツを表示するのに適したデバイス、つまりdevice_score(d)が大きい” であれば高い値となるように算出する。例えば、Score(d,C１) は
【００３９】
【数３】
2015146149.tif 000005
として算出される。
【００４０】
ステップＳ７では、ステップＳ２で取得した端末のうち未処理の端末があればステップＳ４に戻り、そうでなければステップＳ８に進む。
【００４１】
ステップＳ８では、ブラウザＡに対して、表示スコアScore(d,C１)の降順に端末ｄのデバイスＩＤを表示するように通知する。
【００４２】
このように、本実施形態によれば、表示制御装置１０のコンテンツのインタラクティブ度算出部１４は、コンテンツのインタラクティブ度を算出する機能を有し、これにより、コンテンツが持つ特性を推定することができる。また、表示制御装置１０の端末（デバイス）のインタラクティブ度算出部１５は、デバイスのインタラクティブ度を算出することによって、コンテンツ移動時にどのような特性をもつコンテンツの表示に利用されているのかを推定することができる。そして、表示制御装置１０の表示スコア算出部１７は、端末の表示スコアを算出することによって、ステップＳ４、ステップＳ５で推定した結果に基づいたクライアント端末のユーザへの提示が可能となる。
【００４３】
以上、本発明の実施形態によれば、あるクライアント端末のブラウザに表示されているコンテンツを他のクライアント端末のブラウザに表示させるときに、意図しないクライアント端末にコンテンツが表示されたり、他のコンテンツの利便性を低下させたりする可能性を減らすことが可能となる。また、コンテンツの移動先クライアント端末を確度高く推定してユーザに提示できるので、コンテンツを移動またはコピーするときにクライアント端末を再選択する割合を低くでき、クライアント端末の選択回数やクライアント端末を選択するまでの時間を減らすことが可能となる。
【００４４】
なお、上述した実施形態は、一例として提示したものであり、発明の範囲を限定するものではなく、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０…表示制御装置（サーバ）
１１…コンテンツ利用履歴保存部
１２…端末静的情報保存部
１３…端末動的情報保存部
１４…コンテンツのインタラクティブ度算出部
１５…端末のインタラクティブ度算出部
１６…情報取得部
１７…表示スコア算出部
１８…通知部
２０…ネットワーク
３０，４０，…端末（クライアント端末）
【図１】
2015146149.tif 000009
【図２】
2015146149.tif 000010
【図３】
2015146149.tif 000011
【図４】
2015146149.tif 000012
【図５】
2015146149.tif 000013
【図６】
2015146149.tif 000014
【図７】
2015146149.tif 000015